(57)【要約】【課題】複数本の光ファイバケーブルを敷設するという現在の敷設形態に対応しながら、簡易な構成で構造物との接着性を高め、構造物に適正に支持された光ファイバケーブルにて構造物の歪みなどを正確に測定できるようにする。【解決手段】光ファイバ芯線２を長さ方向に直交する方向に複数並設し、光ファイバ芯線２それぞれの周囲に配された外皮被覆４を隣り合う同士で連続させ、その隣り合う外皮被覆４同士の連続部５に、長さ方向に沿って溝６を設けた。【選択図】    図３
2006064761.tif 000002
【特許請求の範囲】
【請求項１】
光ファイバ芯線を長さ方向に直交する方向に複数並設し、光ファイバ芯線それぞれの周囲に配された外皮被覆が隣り合う同士で連続している歪センサ用複芯型光ファイバケーブルであって、隣り合う外皮被覆同士の連続部に、長さ方向に沿って溝が設けられていることを特徴とする歪センサ用複芯型光ファイバケーブル。
【請求項２】
上記外皮被覆に、長さ方向に直交する方向に沿った溝を形成したエンボス加工が施されている請求項１に記載の歪センサ用複芯型光ファイバケーブル。
【請求項３】
上記連続部における溝位置が連続部中心線上であり、溝位置での分離により全周を外皮被覆とする光ファイバケーブルを分岐形成可能にした構成である請求項１又は２に記載の歪センサ用複芯型光ファイバケーブル。
【発明の詳細な説明】
【技術分野】
【０００１】
本発明は構造物に埋め込む、または表面に貼り付けて、構造物に係る歪みなどを測定するセンサとなる歪センサ用複芯型光ファイバケーブルに関するものである。
【背景技術】
【０００２】
従来から構造物に生じる歪みを測定する上で光ファイバをセンサとして利用することが行われている。そして歪センサ用光ファイバの強度を向上させるためにＦＲＰ被覆を施したり、埋設したコンクリートとの密着性や耐久性を向上させるために外皮被覆にエンボス加工を行なうことが提案されている（特許文献１、特許文献２）。
また、光ファイバを利用して歪みと温度を同時に測る場合や、断線の対策として現状では一本の光ファイバを外皮材料で被覆してなる光ファイバケーブルを一ヶ所に複数本設置することが行われている。そして、複数の光ファイバをまとめて敷設できるようにする手法としては共通被覆を用いることが提案されている（特許文献３）。
【特許文献１】特開２０００−２２７３６８号公報
【特許文献２】特開２００２−０２３０３０号公報
【特許文献３】特開平０９−１１３０２号公報
【発明の開示】
【発明が解決しようとする課題】
【０００３】
ところで光ファイバケーブルを構造物に敷設する場合、上述した外皮被覆にエンボス加工を施したものであっても断面形状が円となる部分がその長さ方向に亘って大部分を占めることから、構造物と外皮被覆の表面との接着性がそれほど向上するものではなかった。
また、一ヶ所に複数の光ファイバケーブルを敷設すると現状の敷設形態に利用できる上記共通被覆を用いたケーブルではその断面形状が略長円状となっている。しかし、この場合外皮被覆の上面と下面とが幅広の平坦となっており、やはり構造物との接着性を高めることが期待できないものである。
そこで本発明は上記事情に鑑み、複数本の光ファイバケーブルを敷設するという現在の敷設形態に対応しながら、簡易な構成で構造物との接着性を高めることを課題とし、構造物に適正に支持された光ファイバケーブルにて構造物の歪みなどを正確に測定できるようにすることを目的とする。
【課題を解決するための手段】
【０００４】
本発明は上記課題を考慮してなされたもので、光ファイバ芯線を長さ方向に直交する方向に複数並設し、光ファイバ芯線それぞれの周囲に配された外皮被覆が隣り合う同士で連続している歪センサ用複芯型光ファイバケーブルであって、隣り合う外皮被覆同士の連続部に、長さ方向に沿って溝が設けられていることを特徴とする歪センサ用複芯型光ファイバケーブルを提供して、上記課題を解消するものである。
また、本発明において、上記外皮被覆に、長さ方向に直交する方向に沿った溝を形成したエンボス加工が施されているものとすることが良好である。
また、本発明において、上記連続部における溝位置が連続部中心線上であり、溝位置での分離により全周を外皮被覆とする光ファイバケーブルを分岐形成可能にした構成とすることが可能である。
【発明の効果】
【０００５】
本発明によれば、歪センサ用複芯型光ファイバケーブルの隣り合う外皮被覆同士の連続部に、長さ方向に沿って溝を設けたので、この歪センサ用複芯型光ファイバケーブルの上面や下面が幅方向において凹凸のある形状となり、構造物に対する接着性が向上するようになる。そして、複数本の光ファイバ芯線を有していることから、この一本の歪センサ用複芯型光ファイバケーブルにて一つの測定部位で歪みと温度などの異なる測定項目を同時に測定することができるとともに、一つの測定部位で一つの測定項目を複数の光ファイバ芯線から多重測定でき、測定値に対する信頼性を高めることができる。
また、本発明において、上記外皮被覆に、長さ方向に直交する方向に沿った溝を形成したエンボス加工を施すことで、構造物に対する接着性がさらに向上するようになる。
さらに、本発明において、連続部における溝位置が連続部中心線上であり、溝位置での分離により全周を外皮被覆とする光ファイバケーブルを分岐形成可能にした構成とすることで、分岐した部分も光ファイバケーブルとして外皮被覆を有する適正なケーブル形状となる。
【発明を実施するための最良の形態】
【０００６】
つぎに本発明を図１から図６に示す実施の形態に基づいて詳細に説明する。
図中１は歪センサ用複芯型光ファイバケーブルで、該歪センサ用複芯型光ファイバケーブル１は、二本の単芯の光ファイバケーブルａをその長さ方向に直交する方向に並設した形態を有しているものである。光ファイバケーブルａとなっている部分それぞれは、光ファイバ芯線２をＦＲＰ被覆材からなる強度付与被覆３で覆い、さらに強度付与被覆３を合成樹脂材からなる外皮被覆４で覆ったものとなっているが、本発明の歪センサ用複芯型光ファイバケーブル１にあっては、二本の光ファイバ芯線２がそれぞれ強度付与被覆３で覆われた状態で長さ方向に直交する方向に並設されているとともに、隣り合う強度付与被覆３同士が離間した状態（長さ方向での何れの位置でも同間隔にして離間されている）とし、さらに前記強度付与被覆３の全周を覆っている外皮被覆４が隣り合う部分で、この隣り合う外皮被覆４が一体となって連続部５が設けられており、前記連続部５を介して隣り合う前記外皮被覆４が連続しているものである。
【０００７】
そして、歪センサ用複芯型光ファイバケーブル１の長さ方向に直交した方向での断面形状において、図３に示すように上記連続部５の上面と下面とに溝６が設けられており、この溝６それぞれは歪センサ用複芯型光ファイバケーブル１の長さ方向に亘って連続しているものである。
このように歪センサ用複芯型光ファイバケーブル１では外皮被覆４の連続部５の上下に溝６が設けられているので、歪センサ用複芯型光ファイバケーブル１の上面と下面が幅方向において凹凸のある形状となり、この歪センサ用複芯型光ファイバケーブル１を構造物に埋設、または接着した場合にその構造物との接着性が向上し、歪センサ用複芯型光ファイバケーブル１が適正に支持されるものとなる。
【０００８】
さらに個々の上記光ファイバケーブルａとして構成されている部分の外皮被覆４それぞれにあっては、上面と下面とで異なる位置にして、かつ長さ方向に直交する方向に沿った溝７にしてエンボス加工８が施されている。このエンボス加工８は長さ方向に定間隔にして設けられているものであり、このエンボス加工が施されているために、構造物との接着性がさらに向上するものとなっている。
【０００９】
上記連続部５において上下の溝６がケーブル厚さ方向に相対してなる溝間位置９は、その溝間位置９でのケーブル厚さ方向での厚み寸法ｂが、連続部５における強度付与被覆３側近傍位置でのケーブル厚さ方向での厚み寸法ｃより小さく、連続部５で最小となっており、例えばこの歪センサ用複芯型光ファイバケーブル１の末端側から溝間位置９で裂くことが容易であり、光ファイバケーブルａを構成している部分を単独に分岐することができる。そして、溝間位置９は隣り合う強度付与被覆３の中間位置にして連続部５の中心線上であり、個々の強度付与被覆３を表出させることなく外皮被覆４で覆った光ファイバケーブルａが分岐形成されるように構成されているものである。そのため、歪センサ用複芯型光ファイバケーブル１の末端側の光ファイバ芯線を測定機器の接続端子に接続し易くなるとともに、末端側でばらした光ファイバケーブルａそれぞれを、測定機器の接続端子位置まで外皮被覆４を備える適正なケーブル形状とすることができる。あるいは末端の光ファイバ同士を接続し、ループ状の配線とすることもできる。
【００１０】
上記実施の例では、外皮被覆４の外周形状が丸みを有するものとしたが、本発明はこれに限定されるものではない。例えば図５に示されているように、光ファイバケーブルａそれぞれを構成している部分での外皮被覆４の外周形状が角張ったものとすることも可能である。
さらに、実施の例での歪センサ用複芯型光ファイバケーブル１は光ファイバ芯線を二本としたが、本発明はこの例に限定されるものではなく、例えば図６に示すように三本の光ファイバケーブルａが並設された形態となるように光ファイバ芯線２を三本としてもよい。
【図面の簡単な説明】
【００１１】
【図１】本発明に係る歪センサ用複芯型光ファイバケーブルの一例を示す説明図である。
【図２】一例の上面側を示す説明図である。
【図３】一例を断面にて示す説明図である。
【図４】分岐した状態を示す説明図である。
【図５】二芯の他の例を断面で示す説明図である。
【図６】三芯の例を断面で示す説明図である。
【符号の説明】
【００１２】
１…歪センサ用複芯型光ファイバケーブル
２…光ファイバ芯線
３…強度付与被覆
４…外皮被覆
５…連続部
６…溝
７…溝
８…エンボス加工
９…溝間位置
ａ…光ファイバケーブル
ｂ…連続部における溝間位置の厚み寸法
ｃ…連続部における強度付与被覆側近傍での厚み寸法
【図１】
2006064761.tif 000003
【図２】
2006064761.tif 000004
【図３】
2006064761.tif 000005
【図４】
2006064761.tif 000006
【図５】
2006064761.tif 000007
【図６】
2006064761.tif 000008